(57)【要約】【課題】竜頭操作により防水性が損なわれる恐れがないとともに、ねじロック機能が低下した場合に竜頭周りの部品交換を可能とした携帯時計を提供する。【解決手段】胴１３に取付けられた巻真パイプ２１に竜頭３１がねじロックされる携帯時計を前提とする。胴１３にパイプ取付け孔１７及びこの取付け孔に直角状に連通するねじ孔１８を設ける。巻真パイプ２１は、パイプ取付け孔１７に胴１３の外側から抜き出し可能に挿入された挿入部２１ａ、及び胴１３の外部に配置されるとともに竜頭３１が取外し可能に螺合される雄ねじ２５が形成された胴外突出部２１ｂを有する。挿入部２１ａの周面に係止凹部２２を設ける。環状の防水パッキン２４をパイプ取付け孔１７と挿入部２５ａとの間に挟設する。ねじ孔１８に取付けねじ２６を進退可能に螺合させ、このねじ２６の先端部を係止凹部２２に挿入して、巻真パイプ２１を胴１３に保持させる。【選択図】      図２
2006234658.tif 000002
【特許請求の範囲】
【請求項１】
パイプ取付け孔及びこの取付け孔に直角状に連通するねじ孔を有した胴と；
周面に係止凹部を有し、前記パイプ取付け孔に前記胴の外側から抜き出し可能に挿入された挿入部、及び前記胴の外部に配置されるとともに雄ねじが形成された胴外突出部を有した巻真パイプと；
前記パイプ取付け孔と前記挿入部との間に挟まれた環状の防水パッキンと；
前記ねじ孔に進退可能に螺合されて前記係止凹部に挿入し前記胴に前記巻真パイプを保持させる取付けねじと；
前記挿入部の内側に挿入される内筒部及び前記雄ねじに取外し可能に螺合する雌ねじが設けられかつ前記胴の胴外面に当る外筒部を有した竜頭と；
を具備した携帯時計。
【請求項２】
前記係止凹部を前記挿入部の周方向に途切れることなく連続する環状溝とした請求項１に記載の携帯時計。
【請求項３】
前記防水パッキンを前記挿入部の外周に取付けた請求項１又は２に記載の携帯時計。
【請求項４】
前記ねじ孔を前記胴の裏面と前記パイプ取付け孔とにわたって設けて、前記取付けねじを前記胴の裏面から前記ねじ孔に挿入した請求項１から３の内のいずれか一項に記載の携帯時計。
【発明の詳細な説明】
【技術分野】
【０００１】
本発明は、竜頭が不用意に回転されないように保持する構造を備えた携帯時計に関する。
【背景技術】
【０００２】
腕時計等の携帯時計の中には、その携帯時に竜頭が不用意に回転されないように、ねじの噛み合いを利用して竜頭をロックするようにした（この構造ないしは機能を本明細書ではねじロック、又はねじロック構造、或いはねじロック機能と称する。）ものがある。
【０００３】
ねじロック構造は、時計ムーブメントが内蔵された胴に巻真パイプを取付け、このパイプの胴外突出部の外周に形成された雄ねじに、胴外突出部に被嵌する竜頭の雌ねじを螺合する構造である。これにより、通常時には、竜頭が胴の胴外面に当るように巻真パイプの胴外突出部の外周に竜頭を螺合して竜頭が不用意に回転されないようにねじロックできる。又、時計ムーブメントを操作する時には、雄ねじに対する竜頭の螺合（噛み合い）を外してから、竜頭を引き動かした状態で巻真パイプの内側に配置されている巻真を、竜頭を介して回転操作することができる。
【０００４】
このようなねじロック構造を備えた従来の携帯時計では、一般に、胴に対して巻真パイプをろう付けすることにより、巻真パイプ取付け部の防水を図っている（例えば特許文献１参照。）。
【０００５】
この他に、竜頭が螺合される雄ねじとは別の雄ねじを巻真パイプに設けて、この別の雄ねじを胴のパイプ取付け孔にねじ込むとともに、このねじ込みに伴い胴と巻真パイプとの間に、巻真パイプの中心軸線が延びる方向に沿って防水パッキンを挟み込んで、巻真パイプ取付け部の防水を図った携帯時計も知られている（例えば特許文献２参照。）。
【特許文献１】特開昭57−46181号公報（第１頁右欄第８行−第２頁左欄第７行、第１図−第２図）
【特許文献２】特開2004−245594号公報（段落0016−0025、図１−図２）
【発明の開示】
【発明が解決しようとする課題】
【０００６】
ねじロック構造を備える携帯時計では、竜頭が繰返し回転操作されるに伴い、互いに螺合する竜頭の雌ねじと巻真パイプの雄ねじとが摩耗したり、削れたりすることがある。それにより、ねじロックの機能が低下する。
【０００７】
このような事態に至った場合、胴に巻真パイプがろう付けされている特許文献１の携帯時計では、巻真パイプの胴からの取外しを伴う竜頭回りの部品交換ができない。このため、胴を含めた時計外装組立の交換を余儀なくされており、その改善が求められている。
【０００８】
胴に巻真パイプをねじ込んだ時計では、原理的には巻真パイプを含めた竜頭周りの部品交換が可能であると考えられている。しかし、この構成でも、竜頭を巻真パイプに螺合させたり、この螺合を外したりするたびに、巻真パイプには回転力が作用する。それによる巻真パイプの回転で、胴に対する巻真パイプのねじ込みが緩み防水パッキンを挟む力が低下するに伴い、防水パッキンによる防水性が低下するおそれがある。
【０００９】
この対策として、巻真パイプと胴との螺合部に接着剤を充填することがある。このように接着止めされる場合には、巻真パイプを胴から取外すことが困難となり、実際上は竜頭回りの部品交換ができなくなる。それにより、ねじロック機能が低下した場合に、胴を含めた時計外装組立の交換を余儀なくされるので、その改善が求められている。
【００１０】
本発明の目的は、竜頭操作により防水性が損なわれる恐れがないとともに、ねじロック機能が低下した場合に竜頭周りの部品交換を可能とした携帯時計を提供することにある。
【課題を解決するための手段】
【００１１】
前記課題を解決するために、本発明の携帯時計は、パイプ取付け孔及びこの取付け孔に直角状に連通するねじ孔を有した胴と；周面に係止凹部を有し、前記パイプ取付け孔に前記胴の外側から抜き出し可能に挿入された挿入部、及び前記胴の外部に配置されるとともに雄ねじが形成された胴外突出部を有した巻真パイプと；前記パイプ取付け孔と前記挿入部との間に挟まれた環状の防水パッキンと；前記ねじ孔に進退可能に螺合されて前記係止凹部に挿入し前記胴に前記巻真パイプを保持させる取付けねじと；前記挿入部の内側に挿入される内筒部及び前記雄ねじに取外し可能に螺合する雌ねじが設けられかつ前記胴の胴外面に当る外筒部を有した竜頭と；を具備している。
【００１２】
本発明では、胴のねじ孔に螺合した取付けねじの先端部が、胴のパイプ取付け孔に挿入された巻真パイプの係止凹部に係合して、巻真パイプをその軸方向に動かないように胴に保持している。この保持は竜頭操作によって損なわれることがない。このため、巻真パイプの中心軸線が延びる方向ではなく、巻真パイプの径方向に沿って胴と巻真パイプとの間に挟まれた防水パッキンによる胴と巻真パイプとの間の防水は、竜頭操作によって損なわれる恐れがない。そして、胴の外側から進退させることができる取付けねじを後退させて、このねじを係止凹部から離脱させることにより、胴に対する巻真パイプの保持が解除されて、巻真パイプを胴から外に引き抜くことが可能となる。このため、胴外突出部の雄ねじと竜頭の雌ねじとの噛み合いによりねじロック機能を発揮させたり、前記噛み合いを外してねじロック機能を解除したりする竜頭の回転操作に伴ってねじロック機能が低下した場合には、胴に対して巻真パイプ等を交換可能である。
【００１３】
本発明の好ましい形態では、前記係止凹部を前記挿入部の周方向に途切れることなく連続する環状溝としている。この好ましい形態では、挿入部の外周に対する切削加工で係止凹部を簡単に容易に設けることができて製造上好ましい。更に、パイプ取付け孔に巻真パイプを取付ける際、ねじ孔に対して挿入部をその周方向に位置決めする必要がなく、この点でも製造上好ましい。
【００１４】
又、本発明の好ましい形態では、前記防水パッキンを前記挿入部の外周に取付けている。この好ましい形態では、パイプ取付け孔の内面に防水パッキンを取付けるよりも、防水パッキンの取付け及びメンテナンス時の着脱が容易となるとともに、パイプ取付け孔の加工も容易にできる点で、製造上好ましい。
【００１５】
又、本発明の好ましい形態では、前記ねじ孔を前記胴の裏面と前記パイプ取付け孔とにわたって設けて、前記取付けねじを前記胴の裏面から前記ねじ孔に挿入している。この好ましい形態では、ねじ孔を胴の表面とパイプ取付け孔とにわたって設けるよりも、ねじ孔を短くできるので、ねじ孔の加工深さ及びねじの締め込み量を小さくできる点で好ましい。
【発明の効果】
【００１６】
本発明によれば、竜頭操作により防水性が損なわれる恐れがないとともに、ねじロック機能が低下した場合に胴を伴うことなく竜頭周りの部品交換ができる携帯時計を提供できる。
【発明を実施するための最良の形態】
【００１７】
図１〜図３を参照して本発明の第１実施形態を説明する。
【００１８】
図１中符号１１は竜頭をねじロックできる機能を備えた携帯時計として例えば腕時計を示している。腕時計１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００１９】
時計外装組立１２は、ステンレス鋼やチタン等の金属や合成樹脂からなる環状の胴１３の厚み方向一面に、カバーガラス１４を液密に装着するとともに、胴１３の厚み方向裏面に、金属等からなる裏蓋１５（図２参照）を液密に装着して形成されている。カバーガラス１４を通して文字板１６などを透視可能であり、裏蓋１５は取外し可能である。
【００２０】
図２に示すように胴１３には、この胴１３を径方向に貫通するパイプ取付け孔１７が設けられている。パイプ取付け孔１７の一端は、胴内、つまり時計外装組立１２の内部に開口され、パイプ取付け孔１７の他端は、胴外、つまり時計外装組立１２の外部に開口されている。このパイプ取付け孔１７は、その穴あけ加工性を良くするために、段差がないストレートな孔で作られているが、段差を有していてもよい。図２中符号１３ａは胴外面、１３ｂは胴の裏面、１３ｃは胴の表面を夫々示している。
【００２１】
胴１３には、胴外面１３ａに寄せて、言い換えれば、パイプ取付け孔１７を長手方向に二分した位置から胴外面１３ａまでの間に位置して、胴１３の厚み方向に延びるねじ孔１８が設けられている。ねじ孔１８は、胴１３の裏面１３ｂとパイプ取付け孔１７とにわたって設けられていて、パイプ取付け孔１７に直角状に連通している。ここに、直角状とは、直角であることを含んでいるとともに、穴あけの加工精度のばらつき等による数度の角度誤差を含んでいる。なお、ねじ孔１８は、胴１３の表面１３ｃとパイプ取付け孔１７にわたって設けることもできる。
【００２２】
胴１３には巻真パイプ２１が胴外側に抜き出し可能に取付けられている。すなわち、金属例えばステンレス鋼等からなる巻真パイプ２１は、図２及び図３に示すように一端側の挿入部２１ａと他端側の胴外突出部２１ｂを有している。挿入部２１ａは、パイプ取付け孔１７の径に略等しい外径を有した略直管状をなしていて、その外周面に係止凹部２２と、パッキン溝２３とが形成されている。挿入部２１ａはパイプ取付け孔１７を貫通する長さとしても良い。
【００２３】
係止凹部２２は、挿入部２１ａの先端よりも胴外突出部２１ｂに寄った位置に、挿入部２１ａの周方向に途切れることなく連続して環状に形成されている。この係止凹部２２はＶ字状の環状溝からなる。
【００２４】
パッキン溝２３は、係止凹部２２よりも挿入部２１ａの先端に寄せて、挿入部２１ａの周方向に途切れることなく連続して環状に形成されている。このパッキン溝２３には環状の防水パッキン２４が嵌合されている。防水パッキン２４は弾性変形ができるパッキン材料で形成されていて、その外径は、挿入部２１ａの最大外径より大きく、かつ、無負荷状態ではパイプ取付け孔１７の径よりやや大きい。
【００２５】
胴外突出部２１ｂは、胴１３の外部に配置される部分であって、挿入部２１ａより大径である。この胴外突出部２１ｂの外周には雄ねじ２５が形成されている。
【００２６】
巻真パイプ２１の挿入部２１ａはパイプ取付け孔１７に胴外側から抜き出し可能に挿入されている。この挿入の適正な深さは、挿入部２１ａと胴外突出部２１ｂとがなす段差、つまり、胴外突出部２１ｂの挿入部２１ａに近い方の端面が、胴外面１３ａに当ることにより規制される。この位置規制により、係止凹部２２がねじ孔１８に位置決めされるようになっている。又、挿入部２１ａがパイプ取付け孔１７に挿入されることに伴い、防水パッキン２４は圧縮状態に弾性変形して、挿入部２１ａとパイプ取付け孔１７との間に挟まれる。これにより、防水パッキン２４がパイプ取付け孔１７の内面に密接して、胴１３と巻真パイプ２１との間の防水を担っている。
【００２７】
ねじ孔１８には取付けねじ２６が胴１３の裏側から進退自在に螺合されている。取付けねじ２６は金属製例えば胴１３と同種の金属からなり、その先端部は先細のＶ字状をなしている。この先端部のＶ字状の角度は、係止凹部２２をなすＶ溝の角度より大きい。これにより、係止凹部２２と取付けねじ２６との係合に弛みがないようにしている。取付けねじ２６をねじ込むことにより、その先端部は係止凹部２２に挿入し挿入部２１ａに引っ掛かる。これにより、巻真パイプ２１が外れないように胴１３に保持されている。又、取付けねじ２６のねじ込みを弛めることにより、その先端部を係止凹部２２から外して胴１３に対する巻真パイプ２１の抜き出しが可能となっている。
【００２８】
図１及び図２中符号３１で示す竜頭は、ステンレス鋼、チタン等の金属材料からなり、内筒部３２とこれと一体の外筒部３３とを有している。内筒部３２は巻真パイプ２１に挿入される部分である。外筒部３３は内筒部３２より短く、その内周にはねじロック用の雌ねじ３４が形成されている。外筒部３３の外周には、竜頭操作の際に使用者の指が滑ることを防止する凹凸が形成されている。
【００２９】
竜頭３１の内筒部３２は、その軸方向に進退可能となるように巻真パイプ２１の内側に挿入されている。この内筒部３２の外周に形成された環状溝には環状の防水パッキン３５が取付けられている。防水パッキン３５は、巻真パイプ２１の内周と内筒部３２の外周との間に圧縮状態に弾性変形して挟まれ、これらの間の防水を担っている。
【００３０】
竜頭３１の雌ねじ３４は、巻真パイプ２１の雄ねじ２５に取外し可能に螺合される。竜頭３１の外筒部３３に指をかけて、竜頭３１を締め付け方向（ねじ込み方向）に回転させることで、雌ねじ３４の雄ねじ２５への噛み合い（螺合）を深くすることができ、この逆に竜頭３１を弛める方向に回転させることで、前記噛み合いを外すことができる。竜頭３１を回転させて締め付けることによって、図２に示すように外筒部３３の端面が胴１３の胴外面１３ａに接して、腕時計１１の携帯時に竜頭３１が不用意に回転されないようにねじロックする機能が発揮される。
【００３１】
図２に示すように内筒部３２内には、時計ムーブメントの巻真４１が胴１３の内部から外部に向けて挿入されているとともに、この巻真４１を支えとしてばね受け４２を介して竜頭３１を胴１３の外部に向けて付勢する付勢体例えばコイルばね４３が収容されている。時計ムーブメントは、雄ねじ２５に対する雌ねじ３４の噛み合いを外した状態、言い換えれば、ねじロックが解除された状態で、竜頭３１の回転操作に連動して回転される。これにより、時刻合わせ等が行われる。
【００３２】
竜頭操作後に竜頭３１を巻真パイプ２１に取付けてねじロックするには、竜頭３１の内筒部３２に巻真４１が接続された状態のままで、竜頭３１を回転させてその雌ねじ３４を巻真パイプ２１の雄ねじ２５に螺合して締付けることで行われる。竜頭３１が雄ねじ２５に最も深くねじ込まれると、外筒部３３が胴外面１３ａに当接されて、ねじロック機能が発揮される。この状態では、竜頭３１が巻真パイプ２１の胴外突出部２１ｂを覆い隠している。
【００３３】
この状態での腕時計１１の携帯中は、以上のように竜頭３１がねじロックされているので、不用意に竜頭３１が回されて、時刻表示などが変化することを防止できる。時刻合わせ等を行う場合には、ねじロックをする場合と逆方向に竜頭３１を回転させて、雄ねじ２５に対する雌ねじ３４の噛み合いを外して、竜頭３１をコイルばね４３のばね力に抗して引出した状態で行うことができる。
【００３４】
以上の竜頭操作に伴って竜頭３１の雌ねじ３４と巻真パイプ２１の雄ねじ２５との噛み合い部が損傷した場合、竜頭周り、つまり、防水パッキン２４付きの巻真パイプ２１及び防水パッキン３５付きの竜頭３１を以下の手順で交換できる。
【００３５】
まず、竜頭３１と巻真パイプ２１との噛み合いを外した上で、裏蓋１５を外して巻真４１と竜頭３１との接続を外した状態とする。この後、取付けねじ２６を弛める方向に回転させることにより、このねじ２６を後退させて巻真パイプ２１の拘束を解除する。この状態で、胴１３から巻真パイプ２１を引き抜く。
【００３６】
次に、新たな防水パッキン２４を取付けて用意された新たな巻真パイプ２１の挿入部２１ａを、胴１３の外側から胴１３のパイプ取付け孔１７に挿入する。この挿入は、新たな巻真パイプ２１の胴外突出部２１ｂが胴１３の胴外面１３ａに当るまで行われ、この位置規制により新たな巻真パイプ２１の係止凹部２２とねじ孔１８とが適正に対向し連通される。そして、この状態で胴１３に螺合している取付けねじ２６を締め付ける方向に回転させて、取付けねじ２６の先端部を胴１３に挿入された新たな巻真パイプ２１の係止凹部２２に挿入し係合させる。これにより、新たな巻真パイプ２１が外れないように胴１３に保持される。
【００３７】
この後に、新たな防水パッキン３５を取付けて用意された新たな竜頭３１の内筒部３２を巻真パイプ２１に挿入させてから、この新たな竜頭３１と巻真４１との接続を行った上で、裏蓋１５を閉じる。次に、前記新たな竜頭３１を締め付け方向に回転させて、その雌ねじ３４を巻真パイプ２１の雄ねじ２５に螺合させる。これにより、新たな竜頭３１の外筒部３３が胴外面１３ａに当ってねじロック状態となる。
【００３８】
以上の手順により、巻真パイプ２１と竜頭３１とのねじの噛み合い部が損傷した場合に、時計外装組立１２の交換を要することなく竜頭周りの部品のみを交換できる。このため、使用者にとって少ない費用負担で竜頭回りを修理できる。そして、修理された腕時計１１での竜頭回りの防水は、胴１３と巻真パイプ２１との間に圧縮状態に挟みこまれた防水パッキン２４と、巻真パイプ２１と竜頭３１との間に挟み込まれた防水パッキン３５とによって図られる。
【００３９】
竜頭操作に伴って巻真パイプ２１が胴１３に対して回転されて、防水パッキン２４と胴１３との相対位置が変わることがある。しかし、防水パッキン２４は径方向に沿って挟まれているので、前記相対位置が変わっても防水パッキン２４が弛んで防水性能が低下することはない。このため、確実に所期の防水性能を維持できる。
【００４０】
又、前記構成の腕時計１１は、巻真パイプ２１の係止凹部２２を環状溝で形成したので、組立ての際、胴１３に対する巻真パイプ２１の周方向の向きに拘らず、胴外突出部２１ｂが胴外面１３ａに当るまでパイプ取付け孔１７に巻真パイプ２１の挿入部２１ａを挿入するだけの簡単な手間で、係止凹部２２と胴１３のねじ孔１８とを確実に位置決めできる。
【００４１】
しかも、環状溝からなる係止凹部２２は、巻真パイプ２１の挿入部２１ａを切削加工する場合と同様に、巻真パイプ２１を回転させながら所定箇所に切削工具を押し当てて行える。このため、係止凹部２２の形成が容易であり、加工上好ましい。その上、胴１３にねじ孔１８を穿孔する加工においても、胴１３の裏面１３ｂからねじ孔１８を設けたので、ねじ孔１８の長さが短い。それに伴って胴１３に対する穿孔深さが浅いので、加工上好ましい。更に、防水パッキン２４をパイプ取付け孔１７にではなく、巻真パイプ２１の挿入部２１ａの外周に取付けたから、この防水パッキン２４を取付けるための環状溝をパイプ取付け孔１７に形成する場合に比較して、挿入部２１ａの外周所定箇所に切削工具を押し当てて係止凹部２２を容易に形成できるので、加工上好ましい。これらにより、加工コストを低減できる。
【００４２】
更に、取付けねじ２６には、規格品を用いることができ、特殊な構成のねじを必要としない。これに伴い、巻真パイプ２１を外すのに専用の工具を必要とすることもない。
【００４３】
図４及び図５は本発明の第２実施形態を示している。第２実施形態は基本的には第１実施形態と同じであるので、第１実施形態と同じ構成ないしは同様の機能を担う部分には第１実施形態の該当部分と同一符号付してその説明を省略し、以下、第１実施例とは異なる点を説明する。
【００４４】
第２実施形態では、挿入部２１ａ外周の係止凹部２２を、環状溝ではなく、図５に示すように小穴によって形成している。この小穴（係止凹部２２）は挿入部２１ａの中心軸線に対して直角の方向からドリルを押し当てて形成されていて、その穴断面は図４に示すようにＶ字状をなしている。又、この実施形態では、係止凹部２２とねじ孔１８との位置合わせのために、胴外面１３ａ及び胴外突出部２１ｂの端面に合いマークを設けることが望ましい。この場合、胴外面１３ａの合いマークを、ねじ孔１８と所定の位置関係を持って設けるとともに、この位置関係と同じ関係を持って、巻真パイプ２１の合いマークを係止凹部２２に対して設ければよい。以上説明した事項以外は、第１実施形態と同じである。
【００４５】
したがって、第２実施形態でも、第１実施形態と同様の作用を得て本発明の課題を解決できる。しかも、第２実施形態では、取付けねじ２６が係止凹部２２に係合することによって、胴１３に対する巻真パイプ２１の抜け止めだけではなく、竜頭操作に伴って胴１３に対して巻真パイプ２１が回転することも防止できる。
【００４６】
図６及び図７は本発明の第３実施形態を示している。第３実施形態は基本的には第１実施形態と同じであるので、第１実施形態と同じ構成ないしは同様の機能を担う部分には第１実施形態の該当部分と同一符号付してその説明を省略し、以下、第１実施例とは異なる点を説明する。
【００４７】
第３実施形態では、挿入部２１ａ外周の係止凹部２２が、環状溝ではなく、図７に示すように挿入部２１ａの外周の一部を除去した切り欠き状の溝によって形成されている。この係止凹部２２は平坦な底面２２ａを有している。この係止凹部２２は、挿入部２１ａの中心軸線が延びる方向に対して直角の方向からフライスを挿入部２１ａの外周部に通過させることによって加工されたものである。
【００４８】
又、図６に示すように取付けねじ２６には、その先端面を平面（ねじの軸線に対して直角な平面）としたものが使用されている。図６に示すように取付けねじ２６の平らな先端面が係止凹部２２の平らな底面２２ａに押し当てられることによって、竜頭操作に伴う胴１３に対する巻真パイプ２１の回り止めがなされている。これとともに、底面２２ａの両側に直角に連続した側面２２ｂ、２２ｃと取付けねじ２６の先端部との引っ掛かりによって、巻真パイプ２１の軸方向移動が妨げられている。以上説明した事項以外は、第１実施形態と同じである。
【００４９】
したがって、第３実施形態でも、第１実施形態と同様の作用を得て本発明の課題を解決できる。しかも、取付けねじ２６の締め込みによって、胴１３に対して巻真パイプ２１を軸方向に外れないように取付けねじ２６で保持できるだけではなく、巻真パイプ２１が竜頭操作によって連れ回りすることも防止できる点で好ましい。更に、係止凹部２２は挿入部２１ａの周方向にある程度長く延びて設けられているので、係止凹部２２とねじ孔１８とが対向している限り、正しく対向していなくても、取付けねじ２６の締め込みに伴って巻真パイプ２１を回転させることができる。これにより、係止凹部２２の底面２２ａと取付けね２６の先端面とが面接触する正しい取付け状態を得られるので、組立が容易である点で好ましい。
【００５０】
本発明は、前記各実施形態には制約されるものではなく、例えばダイバーズウォッチ等のような高圧防水性能を要求される腕時計の他に、こうした圧防水性能を要求されない通常の腕時計、懐中時計、又はネックレス型の提げ時計などの携帯時計にも適用可能である。
【図面の簡単な説明】
【００５１】
【図１】本発明の第１実施形態に係る腕時計を示す正面図。
【図２】竜頭がねじロックされた状態で図１中Ｚ−Ｚ線に沿って示す断面図。
【図３】第１実施形態に係る腕時計の巻真パイプを示す斜視図。
【図４】本発明の第２実施形態に係る腕時計の竜頭周りを示す図２相当の断面図。
【図５】第２実施形態に係る腕時計の巻真パイプを示す斜視図。
【図６】本発明の第３実施形態に係る腕時計の竜頭周りを示す図２相当の断面図。
【図７】第３実施形態に係る腕時計の巻真パイプを示す斜視図。
【符号の説明】
【００５２】
１１…腕時計（携帯時計）
１２…時計外装組立
１３…胴
１３ａ…胴外面
１３ｂ…胴の外面
１７…パイプ取付け孔
１８…ねじ孔
２１…巻真パイプ
２１ａ…挿入部
２１ｂ…胴外突出部
２２…係止凹部
２３…パッキン溝
２４…防水パッキン
２５…胴外突出部の雄ねじ
２６…取付けねじ
３１…竜頭
３２…内筒部
３３…外筒部
３５…防水パッキン
３６…竜頭の雌ねじ
【図１】
2006234658.tif 000003
【図２】
2006234658.tif 000004
【図３】
2006234658.tif 000005
【図４】
2006234658.tif 000006
【図５】
2006234658.tif 000007
【図６】
2006234658.tif 000008
【図７】
2006234658.tif 000009